(57)【要約】【課題】所定期間の平均需要電力が目標値を超えないように消費電力を調整する調整量を求めることができる電力管理装置、この電力管理装置を実現するためのプログラムを提供する。【解決手段】演算処理部１０は、電圧計測部１１が計測した電源電圧と、電流計測部１２が計測した負荷電流とに基づいて電気機器の消費電力を計測し、所定期間毎に所定期間の開始時から現在までの使用電力量を積算する。演算処理部１０は、所定期間の開始時から現在までの使用電力量及び経過時間をもとに、所定期間の開始時から現在までの平均需要電力の実測値を算出する。演算処理部１０は、平均需要電力の目標値から実測値を減算して得た値を、所定期間の時間幅に対する所定期間の残り期間の比率で除算することにより、残り期間における平均需要電力を増減させる調整量を算出し、この調整量を表示部１５に表示させる。【選択図】図１
2014183665.tif 000002
【特許請求の範囲】
【請求項１】
電気機器の消費電力を測定する測定部と、
所定期間毎に所定期間の開始時から現在まで前記消費電力を積算した値をもとに所定期間の開始時から現在までの平均需要電力の実測値を算出する平均需要電力算出部と、
平均需要電力の目標値から前記実測値を減算して得た値を、所定期間の時間幅に対する所定期間の残り期間の比率で除算することによって、前記残り期間における平均需要電力を増減させる調整量を算出する調整量算出部と、
を備えたことを特徴とする電力管理装置。
【請求項２】
前記測定部は、複数の前記電気機器の消費電力を個別に測定して、消費電力の総和を求めており、
前記調整量が負の値の場合、前記調整量と、前記測定部が測定した各々の前記電気機器の消費電力とに基づいて、平均需要電力を前記調整量以上削減するために停止させる必要がある前記電気機器を報知する報知部を備えたことを特徴とする請求項１記載の電力管理装置。
【請求項３】
前記測定部は、複数の前記電気機器の消費電力を個別に測定して、消費電力の総和を求めており、
複数の前記電気機器の優先順位を記憶する記憶部と、
前記調整量が負の値の場合、前記調整量と、前記測定部が測定した各々の前記電気機器の消費電力とに基づいて、平均需要電力を前記調整量以上削減するために優先順位の低い前記電気機器から順番に前記電気機器を停止させる制御部とを備えたことを特徴とする請求項１記載の電力管理装置。
【請求項４】
コンピュータを、
電気機器の消費電力を測定する測定部と、
所定期間毎に所定期間の開始時から現在まで前記消費電力を積算した値をもとに所定期間の開始時から現在までの平均需要電力の実測値を算出する平均需要電力算出部と、
平均需要電力の目標値から前記実測値を減算して得た値を、所定期間の時間幅に対する所定期間の残り期間の比率で除算することによって、前記残り期間における平均需要電力を増減させる調整量を算出する調整量算出部とを備える電力管理装置、
として動作させるためのプログラム。
【請求項５】
請求項４記載のプログラムであって、
前記測定部は、複数の前記電気機器の消費電力を個別に測定して、消費電力の総和を求めており、
前記調整量が負の値の場合、前記調整量と、前記測定部が測定した各々の前記電気機器の消費電力とに基づいて、平均需要電力を前記調整量以上削減するために停止させる必要がある前記電気機器を報知する報知部を備えた電力管理装置として、
コンピュータを動作させるためのプログラム。
【請求項６】
請求項４記載のプログラムであって、
前記測定部は、複数の前記電気機器の消費電力を個別に測定して、消費電力の総和を求めており、
前記調整量が負の値の場合、前記調整量と、前記測定部が測定した各々の前記電気機器の消費電力と、各々の前記電気機器に設定された優先順位とに基づいて、平均需要電力を前記調整量以上削減するために優先順位の低い前記電気機器から順番に前記電気機器を停止させる制御部を備えた電力管理装置として、
コンピュータを動作させるためのプログラム。
【発明の詳細な説明】
【技術分野】
【０００１】
本発明は、電力管理装置、この電力管理装置を実現するためのプログラムに関するものである。
【背景技術】
【０００２】
従来、複数の電気機器の消費電力を測定し、測定結果を３０分毎に集計することで平均需要電力を求め、平均需要電力が最大需要電力或いは任意に設定された目標値を超えると、その旨を表示するようにした電力量管理装置があった（例えば特許文献１参照）。
【先行技術文献】
【特許文献】
【０００３】
【特許文献１】特開２００６−８７１５８号公報
【発明の概要】
【発明が解決しようとする課題】
【０００４】
上述の電力管理装置では、最大需要電力よりも低い値に目標値を設定しておけば、所定期間の平均需要電力が目標値を超えた際にその旨が表示されるから、平均需要電力が最大需要電力に近付いていることを需要家に知らしめることができる。この表示を見た需要家は、平均需要電力が最大需要電力を超えないように、電気機器を停止して電力消費を抑えようとする。
【０００５】
しかしながら、平均需要電力が目標値を超えたという表示だけでは、平均需要電力が目標値をどの程度超過しているのか、或いは、平均需要電力が最大需要電力を超えるまでどの程度余裕があるのかが判らず、対策がとりにくいという問題があった。
【０００６】
本発明は上記課題に鑑みて為されたものであり、その目的とするところは、所定期間の平均需要電力が目標値を超えないように消費電力を調整する調整量を求めることができる電力管理装置、この電力管理装置を実現するためのプログラムを提供することにある。
【課題を解決するための手段】
【０００７】
本発明の電力管理装置は測定部と平均需要電力算出部と調整量算出部とを備えることを特徴とする。測定部は電気機器の消費電力を測定する。平均需要電力算出部は、所定期間毎に所定期間の開始時から現在まで前記消費電力を積算した値をもとに所定期間の開始時から現在までの平均需要電力の実測値を算出する。調整量算出部は、平均需要電力の目標値から前記実測値を減算して得た値を、所定期間の時間幅に対する所定期間の残り期間の比率で除算することによって、前記残り期間における平均需要電力を増減させる調整量を算出する。
【０００８】
この電力管理装置において、前記測定部は、複数の前記電気機器の消費電力を個別に測定して、消費電力の総和を求めており、報知部を備えることも好ましい。報知部は、前記調整量が負の値の場合、前記調整量と、前記測定部が測定した各々の前記電気機器の消費電力とに基づいて、平均需要電力を前記調整量以上削減するために停止させる必要がある前記電気機器を報知する。
【０００９】
この電力管理装置において、前記測定部は、複数の前記電気機器の消費電力を個別に測定して、消費電力の総和を求めており、記憶部と、制御部とを備えることも好ましい。記憶部は、複数の前記電気機器の優先順位を記憶する。制御部は、前記調整量が負の値の場合、前記調整量と、前記測定部が測定した各々の前記電気機器の消費電力とに基づいて、平均需要電力を前記調整量以上削減するために優先順位の低い前記電気機器から順番に前記電気機器を停止させる。
【００１０】
本発明のプログラムは、コンピュータを電力管理装置として動作させるためのプログラムである。電力管理装置は測定部と平均需要電力算出部と調整量算出部とを備える。測定部は、電気機器の消費電力を測定する。平均需要電力算出部は、所定期間毎に所定期間の開始時から現在まで前記消費電力を積算した値をもとに所定期間の開始時から現在までの平均需要電力の実測値を求める。調整量算出部は、平均需要電力の目標値から前記実測値を減算して得た値を、所定期間の時間幅に対する所定期間の残り期間の比率で除算することによって、前記残り期間における平均需要電力を増減させる調整量を算出する。
【００１１】
このプログラムにおいて、前記測定部は、複数の前記電気機器の消費電力を個別に測定して、消費電力の総和を求めており、前記調整量が負の値の場合、前記調整量と、前記測定部が測定した各々の前記電気機器の消費電力とに基づいて、平均需要電力を前記調整量以上削減するために停止させる必要がある前記電気機器を報知する報知部を備えた電力管理装置として、コンピュータを動作させるものでもよい。
【００１２】
このプログラムにおいて、前記測定部は、複数の前記電気機器の消費電力を個別に測定して、消費電力の総和を求めており、前記調整量が負の値の場合、前記調整量と、前記測定部が測定した各々の前記電気機器の消費電力と、各々の前記電気機器に設定された優先順位とに基づいて、平均需要電力を前記調整量以上削減するために優先順位の低い前記電気機器から順番に前記電気機器を停止させる制御部を備えた電力管理装置として、コンピュータを動作させるものでもよい。
【発明の効果】
【００１３】
本発明の電力管理装置によれば、所定期間毎に所定期間の開始時から現在までの使用電力量をもとに平均需要電力の実測値を求め、目標値から実測値を減算して得た値から、所定期間の残り期間における平均需要電力を増減させる調整量を求めている。実測値が目標値を超えている場合、需要家は、調整量算出部が算出した調整量をもとに、消費電力をどの程度削減すればよいかが判るから、削減量が不足して目標値を超えてしまったり、必要量を超えて過剰に消費電力を削減したりする事態が起こりにくくなる。また、実測値が目標値を下回っている場合、需要家は、調整量算出部が算出した調整量をもとに、どの程度消費電力が増えると平均需要電力が目標値を超えるかが判るので、平均需要電力が目標値を超えないように電力消費の増加に留意することができる。
【００１４】
本発明のプログラムによれば、上述のような電力管理装置としてコンピュータを動作させることによって、実測値が目標値を超えている場合、需要家は、調整量算出部が算出した調整量をもとに消費電力をどの程度削減すればよいかが判る。また実測値が目標値を下回っている場合、需要家は、調整量算出部が算出した調整量をもとに消費電力がどの程度増えると、平均需要電力が目標値を超えてしまうかが判る。
【図面の簡単な説明】
【００１５】
【図１】本実施形態の電力管理装置のブロック図である。
【図２】同上の電力管理装置の他の形態を示すブロック図である。
【図３】同上の電力管理装置のまた別の形態を示し、（ａ）はブロック図、（ｂ）は電力管理装置を用いた全体システムの概略回路図である。
【発明を実施するための形態】
【００１６】
本発明に係る電力管理装置の実施形態を図面に基づいて説明する。
【００１７】
図１は電力管理装置１の概略構成を示すブロック図である。電力管理装置１は、演算処理部１０と、電圧計測部１１と、電流計測部１２と、操作部１３と、データ管理部１４と、表示部１５と、接点１６と、接点開閉部１７と、電源部１８とを備える。
【００１８】
演算処理部１０はマイクロコンピュータからなり、このマイクロコンピュータがＲＯＭ（図示せず）などに記憶されたプログラムを実行することによって、電力管理装置１の各機能（すなわち測定部、平均需要電力算出部、調整量算出部、報知部、制御部としての機能）が実現される。
【００１９】
電圧計測部１１は、商用電源２から供給される電源電圧を計測し、計測結果を演算処理部１０に出力する。
【００２０】
電流計測部１２は、電気機器に供給される電流（負荷電流）を測定する電流センサ３（例えばカレントトランスなど）の出力をもとに、電気機器に流れる電流（負荷電流）を計測し、計測結果を演算処理部１０に出力する。
【００２１】
操作部１３は、複数個の操作釦（図示せず）を備え、ユーザによって操作釦が操作されると、操作に応じた信号を演算処理部１０に出力する。例えば操作部１３は所定期間における平均需要電力の目標値を設定するために用いられる。需要家が操作部１３を用いて平均需要電力の目標値を入力すると、演算処理部１０は、操作部１３から入力された目標値をデータ管理部１４に記憶させる。
【００２２】
データ管理部１４は、例えばＳＤメモリカードのようなメモリカードが装着されるカードスロット（図示せず）を備え、カードスロットに装着されたメモリカードに、消費電力の計測値や平均需要電力の目標値などのデータを記憶させる。なおデータ管理部１４は、演算処理部１０の制御の元に、カードスロットに装着されたメモリカードへのデータの書き込みや、メモリカードからのデータの読み出しを行うように構成されている。
【００２３】
表示部１５は、例えば液晶ディスプレイからなる。表示部１５の表示内容は演算処理部１０によって制御され、演算処理部１０は表示部１５に例えば消費電力の測定値などを表示させる。
【００２４】
接点１６は出力端子ｔ１，ｔ２間に接続される。出力端子ｔ１，ｔ２には例えば外部の警告灯が接続されており、接点１６がオンになると警告灯が点灯し、接点１６がオフになると警告灯が消灯するようになっている。なお出力端子ｔ１，ｔ２にはブザーなどが接続されていてもよく、その場合は接点１６がオンになるとブザーが鳴動し、接点１６がオフになるとブザーが停止する
接点開閉部１７は、演算処理部１０からの制御信号に応じて接点１６をオン又はオフにする。
【００２５】
電源部１８は、商用電源２から供給される交流電圧を直流電圧に変換して、電力管理装置１が備える回路のそれぞれに動作電圧を供給する。
【００２６】
本実施形態の電力管理装置１は、電気事業者から電力を受電する需要家が、使用電力を管理するために用いるものである。
【００２７】
電気事業者と需要家との契約では、当月から過去１１ヶ月の最大需要電力のうち最も大きい最大需要電力を契約電力とし、この契約電力をもとに電気料金が決定される。なお最大需要電力（いわゆるデマンド値）とは、３０分単位（毎時０分から３０分までの３０分間と、毎時３０分から６０分までの３０分間）で求めた平均需要電力のうち、その月で最大の平均需要電力のことを言う。
【００２８】
上記のような契約のため、当月の最大需要電力が、過去１１ヶ月の最大需要電力のうち最も大きい最大需要電力を上回ると、契約電力が高くなり、それに伴って電気料金が高額になる。需要家にとって電気料金の値上がりは好ましくないから、需要家は、３０分毎の平均需要電力を監視する電力管理装置１を設置し、平均需要電力が最大需要電力を超えないように消費電力の抑制を図っている。電力管理装置１には、例えば過去１１ヶ月の最大需要電力のうち最も大きい最大需要電力の９０％の値が目標値として設定されている。電力管理装置１は、３０分毎に平均需要電力を計測しており、平均需要電力が目標値を超えそうになると警報を発するので、この警報を聞いた需要家は電気機器の使用を制限して、平均需要電力が最大需要電力を超えないようにしている。
【００２９】
この電力管理装置１の動作を以下に説明する。
【００３０】
所定の計測周期が経過する毎に、電圧計測部１１は電源電圧を計測し、電流計測部１２は電気機器に流れる電流（負荷電流）を計測する。演算処理部１０は、電圧計測部１１が計測した電源電圧と、電流計測部１２が計測した負荷電流をもとに、電気機器の消費電力を演算により求め、データ管理部１４に計測結果を逐次記憶させる。演算処理部１０は、消費電力を演算すると、所定期間毎（毎正時から３０分毎）に所定期間の開始時から現在までの消費電力を積算して、現在までの使用電力量ＷＨ１［Ｗｈ］を求める。演算処理部１０は、現在までの使用電力量ＷＨ１［Ｗｈ］を、所定期間の開始時から現在までの経過時間［hr］で除算することによって、所定期間における平均需要電力の実測値を求める。すなわち、所定期間の開始時から現在までの使用電力量をＷＨ１［Ｗｈ］、所定期間の開始時から現在までの経過時間をｄｔ１［分］とすると、平均需要電力の実測値Ｐ１［Ｗ］は次式により求めることができる。
【００３１】
Ｐ１＝ＷＨ１／（ｄｔ１／６０）＝ＷＨ１×６０／ｄｔ１  …（１）
次に演算処理部１０は、平均需要電力の目標値Ｐ２から実測値Ｐ１を減算して得た値を、所定期間の時間幅Ｔ１に対する残り期間（Ｔ１−ｄｔ１）の比率Ｒ１で除算することにより、残り期間における平均需要電力を実測値Ｐ１から増減させる調整量Ｐ３を算出する。
【００３２】
Ｐ３＝（Ｐ２−Ｐ１）／Ｒ１
Ｒ１＝（Ｔ１−ｄｔ１）／Ｔ１
∴Ｐ３＝（Ｐ２−Ｐ１）×Ｔ１／（Ｔ１−ｄｔ１）  …（２）
演算処理部１０は調整量Ｐ３を算出すると、調整量Ｐ３の算出結果を表示部１５に表示させており、残り期間における平均需要電力の調整量Ｐ３を需要家に知らしめることができる。所定期間の開始時から現在までの実測値Ｐ１が目標値Ｐ２を下回っている場合は、調整量Ｐ３が正の値となり、所定期間の残り期間において消費電力の増加分が調整量Ｐ３以内に収まっていれば、平均需要電力が最大需要電力を上回ることはない。所定期間の開始時から現在までの実測値Ｐ１が目標値Ｐ２を上回っている場合は、調整量Ｐ３が負の値となり、所定期間の残り期間において消費電力を調整量Ｐ３の絶対値以上削減しなければ、平均需要電力が最大需要電力を超えてしまう。
【００３３】
このように、表示部１５には調整量Ｐ３が表示されるから、需要家は、表示部１５に表示された調整量Ｐ３を見て、平均需要電力の実測値Ｐ１が目標値Ｐ２をどの程度上回っているか、或いは、実測値Ｐ１が目標値Ｐ２をどの程度下回っているかを判断できる。平均需要電力の実測値Ｐ１が目標値Ｐ２を上回っている場合、需要家は、所定期間の平均需要電力を最大需要電力以下に抑制するために、消費電力をどの程度削減すればよいかを判断できる。よって、需要家が必要以上に消費電力を削減してしまう事態や、削減量が不足して最大需要電力を超えてしまう事態が起こりにくくなる。また、平均需要電力の実測値Ｐ１が目標値Ｐ２を下回っている場合、需要家は、調整量Ｐ３の値から、現状よりどの程度消費電力を増やすと、所定期間の平均需要電力が最大需要電力を上回ってしまうかを理解でき、需要家に対して注意を喚起することができる。
【００３４】
例えば、平均需要電力の目標値Ｐ２が３８ｋＷに設定されており、正時より０分から２５分までの間に使用された使用電力量ＷＨ１が１７ｋＷｈであった場合、調整量Ｐ３は以下のように求められる。
【００３５】
先ず、演算処理部１０は上記の式（１）を用いて平均需要電力の実測値Ｐ１を算出する。
【００３６】
Ｐ１＝１７×６０／２５＝４０．８［ｋＷ］
次に、演算処理部１０は上記の式（２）を用いて調整量Ｐ３を求める。
【００３７】
Ｐ３＝（３８−４０．８）×３０／（３０−２５）＝−１６．８［ｋＷ］
この場合、３０分間の平均需要電力を目標値Ｐ２以下に抑制するためには、残り期間における平均需要電力を実測値の４０．８ｋＷから１６．８ｋＷ以上削減する必要がある。すなわち、残り期間である２５分から３０分までの５分間における平均需要電力を２４ｋＷ以下に抑制する必要がある。
【００３８】
演算処理部１０は、調整量Ｐ３の値（−１６．８ｋＷ）を表示部１５に表示させており、この表示をもとに需要家は消費電力を１６．８ｋＷ以上削減すれば、所定期間における平均需要電力を目標値の３８ｋＷ以下に収めることができると判断できる。なお本実施形態では報知部としての表示部１５が、調整量Ｐ３を液晶ディスプレイに文字情報として表示しているが、例えば音声合成技術によって合成された音声で調整量Ｐ３をスピーカ（図示せず）から出力させてもよい。
【００３９】
また上記の実施形態では、演算処理部１０が、電源電圧の計測結果と負荷電流の計測結果をもとに消費電力を演算して使用電力量を積算しているが、図２に示すように外部の電力積算計４で電力量を積算した結果をもとに使用電力量を求めてもよい。
【００４０】
図２に示す電力管理装置１では、上述の電圧計測部１１及び電流計測部１２に代えて、電力積算計４から出力されるパルス信号を計数するパルス計測部１９を備えている。電力積算計４は、電気機器で消費される電力量を計測して、積算し、その積算値が一定量増加する毎にパルス信号を１パルス出力する。パルス計測部１９は、所定期間の開始時から現在までに電力積算計４から出力されるパルス信号の数をカウントする。演算処理部１０は、パルス計測部１９の計測結果をもとに、所定期間の開始時から現在までの消費電力を積算し、所定期間の開始時からの経過時間［hr］で積算値［Ｗｈ］を除算することによって、現在までの平均需要電力を求めている。なお消費電力の測定方法以外は図１に示す電力管理装置１と同様であるので、共通する構成要素には同一の符号を付して、その説明は省略する。
【００４１】
また演算処理部１０は、所定期間の平均需要電力が目標値を超えると、接点開閉部１７に制御信号を出力して接点１６をオンにしており、出力端子ｔ１，ｔ２に接続された警告灯を点灯させることによって、平均需要電力が最大需要電力を超えそうなことを報知する。
【００４２】
以上説明したように、本実施形態の電力管理装置１は、測定部と、平均需要電力算出部と、調整量算出部とを備える。測定部は、電圧計測部１１と電流計測部１２と演算処理部１０（又はパルス計測部１９と演算処理部１０）からなり、電気機器の消費電力を測定する。平均需要電力算出部は演算処理部１０からなり、所定期間毎に所定期間の開始時から現在まで測定部が測定した消費電力を積算した値をもとに所定期間の開始時から現在までの平均需要電力の実測値を算出する。調整量算出部は演算処理部１０からなり、平均需要電力の目標値から実測値を減算して得た値を、所定期間の時間幅に対する、所定期間の残り期間の比率で除算することによって、残り期間における平均需要電力を増減させる調整量を算出する。
【００４３】
このように、平均需要電力算出部は、所定期間毎に所定期間の開始時から現在までの使用電力量から平均需要電力の実測値を求めている。調整量算出部は、平均需要電力の目標値から実測値を減算して得た値から、所定期間の残り期間における平均需要電力を実測値から増減させる調整量を求めている。したがって、実測値が目標値を超えている場合、需要家は、算出された調整量をもとに消費電力をどの程度削減すればよいかが判るから、削減量が不足して目標値を超えてしまったり、必要量を超えて過剰に消費電力を削減したりする事態が起こりにくくなる。また、実測値が目標値を下回っている場合、需要家は、算出された調整量をもとに消費電力がどの程度増えると、所定期間の平均需要電力が最大需要電力を超えてしまうかが判り、最大需要電力を超えないように電気機器の使用に留意することができる。
【００４４】
ところで、上記の実施形態では、演算処理部１０が、算出した調整量を表示部１５に表示させているが、平均需要電力の実測値が目標値を超えている場合、演算処理部１０が電気機器を自動的に停止させて、所定期間の平均需要電力を目標値以下に削減してもよい。
【００４５】
この場合の電力管理装置１のブロック図を図３（ａ）に、電力管理装置１を用いた全体システムの概略的な回路図を図３（ｂ）に示す。なお図１に示した電力管理装置１と共通する構成要素には同一の符号を付して、その説明は省略する。
【００４６】
電流計測部１２には複数の電流センサ３ａ，３ｂ，３ｃが接続されている。電流センサ３ａ，３ｂ，３ｃは例えばカレントトランスからなり、それぞれ対応する電気機器への給電路に接続されている。電流センサ３ａは電気機器６ａへの給電路に設けられ、電気機器６ａに流れる電流（負荷電流）を計測する。電流センサ３ｂは電気機器６ｂへの給電路に設けられ、電気機器６ｂに流れる電流を計測する。電流センサ３ｃは電気機器６ｃへの給電路に設けられ、電気機器６ｃに流れる電流を計測する。
【００４７】
電流計測部１２は電流センサ３ａ，３ｂ，３ｃの出力をもとに、電気機器６ａ，６ｂ，６ｃに流れる電流を個別に計測し、その計測結果を演算処理部１０に出力する。
【００４８】
演算処理部１０は、電圧計測部１１が計測した電源電圧と、電流計測部１２が計測した各電気機器６ａ，６ｂ，６ｃの消費電流をもとに、各電気機器６ａ，６ｂ，６ｃの消費電力を個別に演算し、その総和を計算することで、全体の消費電力を求める。
【００４９】
また電力管理装置１は、例えば電磁リレーからなる遮断装置５ａ，５ｂ，５ｃのオン／オフを制御する遮断制御部２０を備えている。遮断制御部２０は、演算処理部１０からの制御信号に応じて、遮断装置５ａ，５ｂ，５ｃのオン／オフを個別に制御する。遮断装置５ａは、商用電源２と電気機器６ａとの間に接続され、電気機器６ａに給電する状態と、電気機器６ａへの給電を遮断する状態とを切り替える。遮断装置５ｂは、商用電源２と電気機器６ｂとの間に接続され、電気機器６ｂに給電する状態と、電気機器６ｂへの給電を遮断する状態とを切り替える。遮断装置５ｃは、商用電源２と電気機器６ｃとの間に接続され、電気機器６ｃに給電する状態と、電気機器６ｃへの給電を遮断する状態とを切り替える。
【００５０】
需要家は、操作部１３を用いて複数ある電気機器６ａ，６ｂ，６ｃの優先順位を予め設定しており、演算処理部１０は、需要家が入力した各電気機器６ａ，６ｂ，６ｃの優先順位をデータ管理部１４に記憶させる。
【００５１】
この電力管理装置１においても、図１を参照して説明した電力管理装置１と同様に、所定の計測周期が経過する毎に、電圧計測部１１は電源電圧を計測し、電流計測部１２は各電気機器６ａ，６ｂ，６ｃに流れる電流（負荷電流）を個別に計測する。演算処理部１０は、電圧計測部１１が計測した電源電圧と、電流計測部１２が計測した電気機器毎の負荷電流とから、電気機器毎の消費電力を演算により求め、データ管理部１４に消費電力の演算結果を逐次記憶させる。演算処理部１０は、電気機器毎の消費電力を演算すると、所定期間（毎正時から３０分毎）の開始時から現在までの全体の消費電力（各電気機器の消費電力の合計値）を積算して、現在までの使用電力量ＷＨ１を求める。演算処理部１０は、現在までの使用電力量ＷＨ１［Ｗｈ］を、所定期間の開始時から現在までの経過時間［hr］で除算することによって、平均需要電力の実測値を求める。ここで、所定期間の開始時から現在までの使用電力量をＷＨ１、経過時間をｄｔ１［分］とすると、平均需要電力の実測値Ｐ１は上記の式（１）で求められる。
【００５２】
平均需要電力の実測値Ｐ１が算出されると、演算処理部１０は、平均需要電力の目標値Ｐ２から実測値Ｐ１を減算して得た値を、所定期間の時間幅Ｔ１に対する所定期間の残り期間（Ｔ１−ｄｔ１）の比率で除算することによって、残り期間における平均需要電力を実測値から増減させる調整量Ｐ３を算出する。
【００５３】
ここで、所定期間の開始時から現在までの実測値Ｐ１が目標値Ｐ２を上回っている場合は、調整量Ｐ３が負の値となり、所定期間の残り期間において消費電力を調整量Ｐ３以上削減しなければ、平均需要電力が最大需要電力を超えてしまう。演算処理部１０は、上述の演算により得られた調整量Ｐ３が負の値であれば、データ管理部１４に記憶された各電気機器６ａ，６ｂ，６ｃの消費電力及び優先順位に基づいて、消費電力を調整量Ｐ３以上削減するために、停止させるべき電気機器を選択する。すなわち、演算処理部１０は、優先順位の低い電気機器から順番に、選択した電気機器の全消費電力が調整量Ｐ３以上となるまで、１乃至複数台の電気機器を選択する。そして、演算処理部１０は、選択した電気機器を停止させる制御信号を遮断制御部２０に出力し、遮断制御部２０が、対応する遮断装置をオフさせる。これにより、演算処理部１０が選択した電気機器を停止させることができ、所定期間の平均需要電力を目標値以下に自動的に抑制することができる。
【００５４】
以上のように、測定部（演算処理部１０、電圧計測部１１、及び、電流計測部１２）は、複数の電気機器６ａ，６ｂ，６ｃの消費電力を個別に測定して、消費電力の総和を求めている。データ管理部１４からなる記憶部は複数の電気機器６ａ，６ｂ，６ｃの優先順位を記憶している。調整量Ｐ３が負の値の場合、調整量Ｐ３と各電気機器の消費電力とに基づき、平均需要電力を調整量Ｐ３以上削減するために優先順位の低い電気機器から順番に電気機器を停止させる制御部（演算処理部１０及び遮断制御部２０からなる）を電力管理装置１が備える。
【００５５】
これにより、制御部が、調整量Ｐ３と各電気機器の消費電力とに基づいて優先順位の低い電気機器から順番に停止させるべき電気機器を選択しているので、消費電力を調整量Ｐ３以上削減し、所定期間の平均需要電力を目標値以下まで自動的に削減することができる。
【００５６】
なお調整量Ｐ３が負の値の場合、演算処理部１０は、優先順位の低い電気機器から順番に選択した電気機器を自動的に停止させることで、消費電力を低減しているが、選択した電気機器を需要家に対して報知してもよい。
【００５７】
上述のように、演算処理部１０が調整量Ｐ３を算出した場合に、所定期間の開始時から現在までの実測値Ｐ１が目標値Ｐ２を上回っていれば、調整量Ｐ３は負の値となる。この場合、少なくとも調整量Ｐ３だけ消費電力を削減しなければ、平均需要電力が最大需要電力を超えてしまう。したがって、演算処理部１０は、上述の演算で得られた調整量Ｐ３が負の値であれば、データ管理部１４に記憶された各電気機器６ａ，６ｂ，６ｃの消費電力及び優先順位に基づいて、消費電力を調整量Ｐ３以上削減するために、停止させるべき電気機器を選択する。すなわち、演算処理部１０は、選択した電気機器の全消費電力が調整量Ｐ３以上となるように、１乃至複数台の電気機器を選択し、選択した電気機器の情報（例えば名称や識別番号など）を表示部１５に表示させる。需要家は、表示部１５の表示内容をもとに、所定期間の平均需要電力を目標値以下に抑制するために、停止させる必要がある電気機器を知ることができ、表示された電気機器を停止させることで、所定期間の平均需要電力を目標値以下に抑制することができる。
【００５８】
また、記憶部（データ管理部１４）に複数の電気機器６ａ，６ｂ，６ｃの優先順位を記憶させておき、演算処理部１０が、調整量Ｐ３と、電気機器毎の消費電力の計測結果と、優先順位とに基づいて、消費電力を調整量Ｐ３以上削減するために、停止させるべき電気機器を選択するようにしてもよい。すなわち、演算処理部１０は、優先順位の低い電気機器から順番に、選択した電気機器の全消費電力が調整量Ｐ３以上となるまで、１乃至複数台の電気機器を選択し、選択した電気機器の情報（例えば名称や識別番号など）を表示部１５に表示させる。需要家は、表示部１５の表示内容をもとに、所定期間の平均需要電力を目標値以下に抑制するために、停止させる必要がある電気機器を知ることができ、表示された電気機器を停止させることで、所定期間の平均需要電力を目標値以下に抑制することができる。
【００５９】
なお、演算処理部１０が選択した電気機器を報知する方法は文字などによる表示に限定されるものではなく、演算処理部１０は、選択した電気機器の名称や識別情報を、音声合成により合成した音声でスピーカから出力させてもよい。
【００６０】
以上のように、測定部（電圧計測部１１、電流計測部１２及び演算処理部１０）は、複数の電気機器６ａ，６ｂ，６ｃの消費電力を個別に測定して、消費電力の総和を求めている。電力管理装置１は、調整量Ｐ３が負の値の場合に、調整量Ｐ３と各電気機器の消費電力とに基づいて、平均需要電力を調整量Ｐ３以上削減するために停止させる必要がある電気機器を報知する報知部（演算処理部１０及び表示部１５からなる）を備えている。
【００６１】
これにより、需要家は、報知部の報知内容をもとに、消費電力を調整量Ｐ３以上削減するために停止する必要がある電気機器を知ることができ、報知された電気機器を停止させることで、所定期間の平均需要電力を目標値以下に抑制することができる。
【００６２】
なお図３（ａ）（ｂ）の例では、電気機器６ａ，６ｂ，６ｃの台数が３台であるが、システム構成に応じて電気機器の台数は適宜変更が可能である。
【００６３】
また、図３の回路構成では、個々の電気機器に流れる電流を電流センサで計測し、電流の計測結果と電源電圧の計測結果をもとに個々の電気機器の消費電力を計測しているが、個々の電気機器の消費電力を計測する電力積算計を用いてもよい。電力積算計は、個々の電気機器の消費電力を計測し、消費電力の積算値が一定量に達する毎にパルス信号を出力する。電力管理装置１では、各電力積算計から出力されるパルス信号を計数することによって、電気機器の消費電力を個別に計測することができる。
【符号の説明】
【００６４】
１  電力管理装置
３，３ａ，３ｂ，３ｃ  電流センサ
５ａ，５ｂ，５ｃ  遮断装置
６ａ，６ｂ，６ｃ  電気機器
１０  演算処理部（測定部、平均需要電力算出部、調整量算出部、報知部、制御部）
１１  電圧計測部（測定部）
１２  電流計測部（測定部）
１４  データ管理部（記憶部）
１５  表示部（報知部）
１９  パルス計測部（測定部）
２０  遮断制御部（制御部）
ｔ１，ｔ２  出力端子
【図１】
2014183665.tif 000003
【図２】
2014183665.tif 000004
【図３】
2014183665.tif 000005